(57)【要約】携帯型順守ディスペンサは、消毒剤等の任意適当な液体材料を保持する交換可能な詰め替え容器に取り外し可能に取り付けられる順守モジュールを提供する。この順守モジュールは、個人によって着用され又は持ち運ばれ、そして、前記詰め替え容器から液体材料が分与された時には、遠隔の監視ステーションに対して衛生順守データを通信するように構成されている。
2014519357.tif 000002
【特許請求の範囲】
【請求項１】
材料が詰め替え容器から分与された時に、順守監視装置に対して衛生順守データを通信するために前記詰め替え容器の使用を監視するための携帯型順守モジュールであって、
コントローラと、
前記コントローラに接続されている送信機と、
前記コントローラに接続されている磁気スイッチと、
前記詰め替え容器に取り付けられるようにされている取り付けクリップと、
前記取り付けクリップに取り付けられている、容器の磁石であって、前記磁気スイッチが前記容器の磁石の存在を検知するようにしている容器の磁石と、
前記磁気スイッチ及び前記容器の磁石に連結されている引っ込み可能なテザーと、
を包含し、
前記容器の磁石の存在が前記磁気スイッチによって検知されない時には、前記送信機が分与事象の完了を示すために前記順守監視装置に対して無線順守信号を送信し、また前記容器の磁石が前記磁気スイッチによって検知された時には、前記送信機が前記無線順守信号の送信を停止するようにした、携帯型順守モジュール。
【請求項２】
更に、前記コントローラ及び前記送信機を持ち運ぶためのハウジングを包含している、請求項１記載の携帯型順守ディスペンサ。
【請求項３】
更に、前記ハウジングを中に入れて取り出し可能に持ち運ぶためのキャリングケースであって、キャリングクリップを有するキャリングケースを包含している、請求項２記載の携帯型順守ディスペンサ。
【請求項４】
前記テザーが前記ハウジング内に引っ込み可能である、請求項２記載の携帯型順守ディスペンサ。
【請求項５】
遠隔の順守監視装置に対して衛生順守データを通信するように構成された携帯型順守ディスペンサであって、
ポンプ手段を有する詰め替え容器であって、前記ポンプ手段の作動時に前記詰め替え容器から材料を分与する詰め替え容器と、順守モジュールとを包含し、
前記順守モジュールが、
前記詰め替え容器の少なくとも一部分を内部に受け入れるようにした伸縮可能なスリーブと、
前記スリーブによって担持されている制御アクチュエータを有する通信モジュールと、を包含し、
前記制御アクチュエータが作動されると、前記通信モジュールが前記遠隔の順守監視装置に対して順守データを送信するようにした、携帯型順守ディスペンサ。
【請求項６】
前記制御アクチュエータが前記詰め替え容器の前記ポンプ手段と実質的に整列されている、請求項５記載の携帯型順守ディスペンサ。
【請求項７】
遠隔の順守監視装置に対して衛生順守データを通信するように構成された携帯型衛生順守ディスペンサであって、
ポンプ手段を有する詰め替え容器であって、前記ポンプ手段の作動時に詰め替え容器から材料を分与する詰め替え容器と、順守モジュールとを包含し、
前記順守モジュールが、
本体であって、一対の取り付けアームが前記本体から延出し、前記一対の取り付けアームが前記詰め替え容器の周囲に配置されると共に前記順守モジュールを前記詰め替え容器に保持するように互いに取り外し可能に取り付けられる、本体と、
前記本体によって担持されている制御アクチュエータを有する通信モジュールと、
を包含し、
前記制御アクチュエータが作動されると、前記通信モジュールが前記遠隔の順守監視装置に対して順守データを送信するようにした、携帯型衛生順守ディスペンサ。
【請求項８】
前記制御アクチュエータが前記詰め替え容器の前記ポンプ手段と実質的に整列されている、請求項７記載の携帯型衛生順守モジュール。
【請求項９】
遠隔の順守監視装置に対して衛生順守データを通信するように構成された携帯型衛生順守ディスペンサであって、
ポンプ手段を有する詰め替え容器であって、前記ポンプ手段の作動時に前記詰め替え容器から材料を分与する詰め替え容器と、順守モジュールとを包含し、
前記順守モジュールが、
少なくとも１つの連結アーチによって保持リングに連結されている保持アームを有する本体であって、前記保持リングがこの保持リングを通して前記詰め替え容器の前記ポンプ手段を受け入れるようにし、前記保持アーム及び前記保持リングが前記詰め替え容器に圧縮力を加えて前記順守モジュールを前記詰め替え容器に保持するようにしている、本体と、
前記本体によって担持されている制御アクチュエータを有する通信モジュールと、
を包含し、
前記制御アクチュエータが作動されると、前記通信モジュールが前記遠隔の順守監視装置に対して順守データを送信するようにした、携帯型衛生順守ディスペンサ。
【請求項１０】
前記制御アクチュエータが前記詰め替え容器の前記ポンプ手段と実質的に整列されている、請求項９記載の携帯型衛生順守モジュール。
【請求項１１】
遠隔の順守監視装置に対して衛生順守データを通信するように構成された携帯型衛生順守ディスペンサであって、
縁部を有して、この縁部から取り付け部分が延出しており、またポンプ手段を有して、このポンプ手段の作動時に前記詰め替え容器から材料を分与する詰め替え容器と、順守モジュールとを包含し、
前記順守モジュールが、
本体であって、この本体からフック及び取り付けクランプが延出し、前記取り付けクランプが前記詰め替え容器の前記取り付け部分に取り外し可能に取り付けられる、本体と、
前記本体内に配置されている通信モジュールと、
前記本体から延出する延長部分であって、前記通信モジュールに接続されている制御アクチュエータを前記ポンプ手段と実質的に整列されている位置に担持する、延長部分と、
を包含し、
前記制御アクチュエータが作動されると、前記通信モジュールが前記遠隔の順守監視装置に対して順守信号を送信するようにした、携帯型衛生順守ディスペンサ。
【請求項１２】
前記制御アクチュエータが前記詰め替え容器の前記ポンプ手段と実質的に整列されている、請求項１１記載の携帯型衛生順守モジュール。
【請求項１３】
遠隔の順守監視装置に対して衛生順守データを通信するように構成された携帯型衛生順守ディスペンサであって、
ポンプ手段を有する詰め替え容器であって、前記ポンプ手段の作動時に前記詰め替え容器から材料を分与する詰め替え容器と、順守モジュールとを包含し、
前記順守モジュールが、
アタッチメントクリップ及び枢動可能に取り付けられているマウンティングクリップを有する本体であって、前記マウンティングクリップが前記詰め替え容器に取り外し可能に取り付けられるようにされている、本体と、
前記マウンティングクリップ内に配置されている制御アクチュエータを有する通信モジュールと、
を包含し、
前記制御アクチュエータが作動されると、前記通信モジュールが前記遠隔の順守監視装置に対して順守データを送信するようにした、携帯型衛生順守ディスペンサ。
【請求項１４】
前記制御アクチュエータが前記詰め替え容器の前記ポンプ手段と実質的に整列されている、請求項１３記載の携帯型衛生順守モジュール。
【請求項１５】
カラーを通して延在するポンプを有する分与容器の使用を監視して、前記分与容器から材料が分与された時に順守監視装置に対して衛生順守データを通信するための携帯型順守モジュールであって、
コントローラと、
前記コントローラに接続されている送信機と、
前記コントローラに接続されている磁気スイッチと、
前記カラーの縁部に近接して取り付けられるようにされている保持具と、
前記保持具に取り付けられている、容器の磁石であって、前記磁気スイッチが前記容器の磁石の存在を検知するようにしている、容器の磁石と、
前記磁気スイッチ及び前記容器の磁石に連結されている引っ込み可能なテザーと、
を包含し、
前記容器の磁石の存在が前記磁気スイッチによって検知されない時には、前記送信機が分与事象の完了を示すために前記順守監視装置に対して無線順守信号を送信し、また前記容器の磁石が前記磁気スイッチによって検知された時には、前記送信機が前記無線順守信号の送信を停止するようにした、携帯型順守モジュール。
【請求項１６】
更に、前記コントローラ及び前記送信機を持ち運ぶためのハウジングを包含している、請求項１５記載の携帯型順守ディスペンサ。
【請求項１７】
更に、前記ハウジングを中に入れて取り出し可能に持ち運ぶためのキャリングケースであって、キャリングクリップを有するキャリングケースを包含している、請求項１６記載の携帯型順守ディスペンサ。
【請求項１８】
前記テザーが前記ハウジング内に引っ込み可能である、請求項１６記載の携帯型順守ディスペンサ。
【発明の詳細な説明】
【技術分野】
【０００１】
本発明は、一般には、消毒剤ディスペンサ等のディスペンサに関する。詳細には、本発明は衛生順守データを収集することができる携帯型ディスペンサに関する。より詳細には、本発明は衛生順守データを収集して遠隔の監視ステーションに送信することができる携帯型ディスペンサに関する。
【背景技術】
【０００２】
近年、社会では疾患及びその伝播に対する懸念がますます強まっており、このため、手指の洗浄及び全体的な衛生の重要性への認識が高まっている。例えば、外食産業における大腸菌、小学校におけるライノウイルス、及び医療機関内における院内の疾患の伝播に関して、数々の研究で、疾患の伝播を防ぐための効果的な対策として、手指衛生に言及している。これに対して、医療産業、外食産業、並びにホテル及び旅行産業では、衛生の手順書及び手順を検証して、職員が疾患の伝搬防止において効果的である習慣を確実に身に付けるよう強いられている。
【０００３】
一人の個人が自身の手を適切に消毒しないことが、このような個人と接触する他の者の努力を台無しにし得るため、手洗いによってバクテリア又はウイルスの伝搬の可能性を最小化するために、手洗いの衛生基準に対する完全な順守は守られなければならない。このため、従業員又は他の個人が消毒剤に対して十分なアクセスを確実に有するように、最近では、ビル又は作業場全体にわたる指定の場所に大型のディスペンサを恒久的に据え付ける傾向にある。このようなディスペンサは、壁又はカウンターに堅固に取り付けられ、ディスペンサが空になると消毒剤が詰め替えられることが可能である。
【０００４】
残念なことに、これらの大型で固定されたディスペンサは、ユーザが消毒剤を必要とするとき、ユーザはディスペンサまで毎回戻る必要があり、通常ユーザは一日を通して複数回消毒剤を塗布する必要があるため、不便である。また、ユーザが固定されたディスペンサから消毒剤を得るために道をそれて向かう必要がある場合、ユーザが所定の衛生手順書にしたがって自身の手を消毒する傾向はより低いものとなり得る。これに加えて、病院等の施設全体にわたって全面的に提供するために十分な数の固定された消毒剤ディスペンサの据え付けには、多くの費用がかかる。更に、多数の大型で固定されたディスペンサが据え付けられた状況において、従業員は消毒剤ディスペンサを定期的に詰め替えなければならず、これには費用と時間がかかる。
【０００５】
代替として、携帯型ディスペンサが使用可能であるが、これらは石鹸又は消毒剤等の液体材料を詰め替えるのが不便である。これに加えて、このような携帯型ディスペンサの装置は、望ましいものである衛生順守データを取得することができない。
【０００６】
したがって、ユーザによって着用又は持ち運ばれる携帯型順守ディスペンサが必要とされている。これに加えて、消毒剤等の液体材料を分与することができ、衛生順守データを収集して、遠隔の監視ステーションに対して送信する携帯型順守ディスペンサが必要とさえている。更に、消毒剤等の液体材料を交換可能な詰め替え容器から分与する携帯型順守監視装置も必要とされている。
【発明の概要】
【０００７】
前述したことに鑑み、本発明の第１の態様によれば、材料が詰め替え容器から分与された時に、順守監視装置に対して衛生順守データを通信するために前記詰め替え容器の使用を監視するための携帯型順守モジュールであって、コントローラと、前記コントローラに接続されている送信機と、前記コントローラに接続されている磁気スイッチと、前記詰め替え容器に取り付けられるようにされている取り付けクリップと、前記取り付けクリップに取り付けられている容器の磁石であって、前記磁気スイッチが前記容器の磁石の存在を検知するようにしている容器の磁石と、前記磁気スイッチ及び前記容器の磁石に連結されている引っ込み可能なテザーとを包含し、前記容器の磁石の存在が前記磁気スイッチによって検知されない時には、前記送信機が分与事象の完了を示すために前記順守監視装置に対して無線順守信号を送信し、また前記容器の磁石が前記磁気スイッチによって検知された時には、前記送信機が前記無線順守信号の送信を停止するようにした、携帯型順守モジュールが提供される。
【０００８】
また、本発明の第２の態様によれば、遠隔の順守監視装置に対して衛生順守データを通信するように構成された携帯型順守ディスペンサであって、ポンプ手段を有する詰め替え容器であって、前記ポンプ手段の作動時に前記詰め替え容器から材料を分与する詰め替え容器と、順守モジュールとを包含し、前記順守モジュールが、前記詰め替え容器の少なくとも一部分を内部に受け入れるようにした伸縮可能なスリーブと、前記スリーブによって担持されている制御アクチュエータを有する通信モジュールとを包含し、前記制御アクチュエータが作動されると、前記通信モジュールが前記遠隔の順守監視装置に対して順守データを送信するようにした、携帯型順守ディスペンサが提供される。
【０００９】
更に、本発明の第３の態様によれば、遠隔の順守監視装置に対して衛生順守データを通信するように構成された携帯型衛生順守ディスペンサであって、ポンプ手段を有する詰め替え容器であって、前記ポンプ手段の作動時に詰め替え容器から材料を分与する詰め替え容器と、順守モジュールとを包含し、前記順守モジュールが、本体であって、一対の取り付けアームが前記本体から延出し、前記一対の取り付けアームが前記詰め替え容器の周囲に配置されると共に前記順守モジュールを前記詰め替え容器に保持するように互いに取り外し可能に取り付けられる、本体と、前記本体によって担持されている制御アクチュエータを有する通信モジュールとを包含し、前記制御アクチュエータが作動されると、前記通信モジュールが前記遠隔の順守監視装置に対して順守データを送信するようにした、携帯型衛生順守ディスペンサが提供される。
【００１０】
更にまた、本発明の第４の態様によれば、遠隔の順守監視装置に対して衛生順守データを通信するように構成された携帯型衛生順守ディスペンサであって、ポンプ手段を有する詰め替え容器であって、前記ポンプ手段の作動時に前記詰め替え容器から材料を分与する詰め替え容器と、順守モジュールとを包含し、前記順守モジュールが、少なくとも１つの連結アーチによって保持リングに連結されている保持アームを有する本体であって、前記保持リングがこの保持リングを通して前記詰め替え容器の前記ポンプ手段を受け入れるようにし、前記保持アーム及び前記保持リングが前記詰め替え容器に圧縮力を加えて前記順守モジュールを前記詰め替え容器に保持するようにしている、本体と、前記本体によって担持されている制御アクチュエータを有する通信モジュールとを包含し、前記制御アクチュエータが作動されると、前記通信モジュールが前記遠隔の順守監視装置に対して順守データを送信するようにした、携帯型衛生順守ディスペンサが提供される。
【００１１】
更にまた、本発明の第５の態様によれば、遠隔の順守監視装置に対して衛生順守データを通信するように構成された携帯型衛生順守ディスペンサであって、縁部を有して、この縁部から取り付け部分が延出しており、またポンプ手段を有して、このポンプ手段の作動時に前記詰め替え容器から材料を分与する詰め替え容器と、順守モジュールとを包含し、前記順守モジュールが、本体であって、この本体からフック及び取り付けクランプが延出し、前記取り付けクランプが前記詰め替え容器の前記取り付け部分に取り外し可能に取り付けられている、本体と、前記本体内に配置されている通信モジュールと、前記本体から延出する延長部分であっって、前記通信モジュールに接続されている制御アクチュエータを前記ポンプ手段と実質的に整列されている位置に担持する、延長部分とを包含し、前記制御アクチュエータが作動されると、前記通信モジュールが前記遠隔の順守監視装置に対して順守信号を送信するようにした、携帯型衛生順守ディスペンサが提供される。
【００１２】
更にまた、本発明の第６の態様によれば、遠隔の順守監視装置に対して衛生順守データを通信するように構成された携帯型衛生順守ディスペンサであって、ポンプ手段を有する詰め替え容器であって、前記ポンプ手段の作動時に前記詰め替え容器から材料を分与する詰め替え容器と、順守モジュールとを包含し、前記順守モジュールが、アタッチメントクリップ及び枢動可能に取り付けられているマウンティングクリップを有する本体であって、前記マウンティングクリップが前記詰め替え容器に取り外し可能に取り付けられるようにされている、本体と、前記マウンティングクリップ内に配置されている制御アクチュエータを有する通信モジュールとを包含し、前記制御アクチュエータが作動されると、前記通信モジュールが前記遠隔の順守監視装置に対して順守データを送信するようにした、携帯型衛生順守ディスペンサが提供される。
【００１３】
更にまた、本発明の第７の態様によれば、カラーを通して延在するポンプを有する分与容器の使用を監視して、前記分与容器から材料が分与された時に順守監視装置に対して衛生順守データを通信するための携帯型順守モジュールであって、コントローラと、前記コントローラに接続されている送信機と、前記コントローラに接続されている磁気スイッチと、前記カラーの縁部に近接して取り付けられるようにされている保持具と、前記保持具に取り付けられている、容器の磁石であって、前記磁気スイッチが前記容器の磁石の存在を検知するようにしている、容器の磁石と、前記磁気スイッチ及び前記容器の磁石に連結されている引っ込み可能なテザーとを包含し、前記容器の磁石の存在が前記磁気スイッチによって検知されない時には、前記送信機が分与事象の完了を示すために前記順守監視装置に対して無線順守信号を送信し、また前記容器の磁石が前記磁気スイッチによって検知された時には、前記送信機が前記無線順守信号の送信を停止するようにした、携帯型順守モジュールが提供される。
【００１４】
本発明の以上述べた及び他の特徴及び利点は、以下の記載、添付の特許請求項の範囲及び添付の図面を参照することによってより良く理解されるであろう。
【図面の簡単な説明】
【００１５】
【図１】本発明の概念にしたがって遠隔の監視ステーションと通信中である携帯型順守ディスペンサを示す斜視図である。
【図２Ａ】本発明の概念にしたがって分与される液体材料を収容し、携帯型順守ディスペンサによって使用される詰め替え容器の前面部分の斜視図である。
【図２Ｂ】本発明の概念による詰め替え容器の背面部分の斜視図である。
【図２Ｃ】本発明の概念による詰め替え容器の取り付け端の底面図である。
【図３Ａ】本発明の概念にしたがって順守モジュールから分離される詰め替え容器を示す、携帯型順守ディスペンサの一実施形態の正面図である。
【図３Ｂ】本発明の概念にしたがって順守モジュールに磁気的に結合されている詰め替え容器を示す、図３Ａの携帯型順守モジュールの部分正面図である。
【図３Ｃ】本発明の概念による、図３Ａの携帯型順守モジュールの部分側面図である。
【図４】本発明の概念による、図３Ａに示されている順守モジュールによって提供されるキャリングケース内に取り出し可能に保持される通信モジュールの斜視図である。
【図５】本発明の概念による、図３Ａ〜図３Ｃに示されている携帯型順守ディスペンサによって使用される通信モジュールのブロック図である。
【図６Ａ】本発明の概念にしたがって順守モジュールが詰め替え容器に取り付けられている伸縮可能なスリーブを包含する、代替の携帯型順守ディスペンサの正面図である。
【図６Ｂ】本発明の概念による、図６Ａの携帯型順守ディスペンサの側面図である。
【図７】本発明の概念による代替の携帯型順守モジュールによって使用される別の通信モジュールのブロック図である。
【図８Ａ】本発明の概念にしたがって詰め替え容器に布製の本体によって保持される、代替の携帯型順守ディスペンサの正面図である。
【図８Ｂ】本発明の概念による、図８Ａの携帯型順守ディスペンサの側面図である。
【図８Ｃ】本発明の概念にしたがって順守モジュールを詰め替え容器に取り付けるために使用される保持アームを示す、図８Ａの携帯型順守ディスペンサの正面図である。
【図９Ａ】本発明の概念にしたがって詰め替え容器に保持されるクリップを包含する順守モジュールを有する、携帯型順守ディスペンサの別の実施形態の正面図である。
【図９Ｂ】本発明の概念による、図９Ａの携帯型順守ディスペンサの側面図である。
【図９Ｃ】本発明の概念にしたがって図９Ａの順守モジュールを詰め替え容器に保持するために使用されるクリップの正面図である。
【図１０Ａ】本発明の概念にしたがって詰め替え容器にクリップによって取り付けられる順守モジュールを有する、代替の携帯型順守ディスペンサの正面図である。
【図１０Ｂ】本発明の概念による、図１０Ａの携帯型順守ディスペンサの側面図である。
【図１０Ｃ】本発明の概念による、図１０Ａの携帯型順守ディスペンサの背面図である。
【図１１Ａ】本発明の概念にしたがって、カラビナクリップを有すると共に詰め替え容器から分離される順守モジュールを包含する、代替の携帯型順守ディスペンサの斜視図である。
【図１１Ｂ】本発明の概念にしたがって詰め替え容器に取り付けられた図１１Ａの携帯型順守ディスペンサの斜視図である。
【図１１Ｃ】本発明の概念による、図１１Ａの携帯型順守ディスペンサの背面斜視図である。
【図１２】本発明の概念による、携帯型順守ディスペンサの更に別の実施形態の斜視図である。
【図１３】本発明の概念による、図１２の携帯型順守ディスペンサの分解図である。
【図１４】本発明の概念による、図１２の携帯型順守ディスペンサのブロック図である。
【図１５Ａ】本発明の概念にしたがって引っ込み位置にあるテザーを示す、図１２の携帯型順守ディスペンサの正面図である。
【図１５Ｂ】本発明の概念にしたがって伸張位置にあるテザーを示す、図１２の携帯型順守ディスペンサの正面図である。
【発明を実施するための形態】
【００１６】
図面の図１に示されているように、個人によって着用可能である携帯型順守ディスペンサは、総括的に符号１０によって示されている。ディスペンサ１０は順守モジュール１２を包含し、この順守モジュール１２は、消毒剤等の液体材料が順守モジュール１２に結合されている詰め替え容器２０から分与された時に、遠隔の監視ステーション又は順守監視装置１４に対して衛生順守データを無線で通信する。したがって、携帯型順守ディスペンサ１０は、その使用に関連する衛生順守データを収集及び通信しながら、消毒剤等の液体材料が交換可能な詰め替え容器から分与され得る方式を提供する。
【００１７】
詳細には、携帯型順守ディスペンサ１０は複数の順守モジュール１２を包含し、これらの順守モジュールは符号１２Ａ〜１２Ｇによって示されている。より詳細には、順守モジュール１２Ａ〜１２Ｆは図２Ａ〜図２Ｃに示されている詰め替え容器２０への取り付けのために構成され、順守モジュール１２Ｇは後述する分与容器への取り付けのために構成される。詰め替え容器２０は、モジュラーユニットとして構成され、例えば、石鹸、消毒剤又は保湿剤等の、所定量の任意の液体材料を保持することが可能である。より詳細には、詰め替え容器２０は、プラスチック等の任意適当な材料で形成されている細長い本体２６を包含し、この本体２６は前後の正面部分３０及び背面部分３２を有し、これらの正面部分３０及び背面部分３２は両側の側部分４０Ａ及び４０Ｂを有する縁部４０のまわりに接合されている。縁部４０の両側部分４０Ａ及び４０Ｂは２対の実質的に丸い又は湾曲した肩部分５０Ａ及び５０Ｂによって画定され、これらの肩部分５０Ａ及び５０Ｂは詰め替え容器２０の中央の中心線５２から離れるように延在する。２対の肩部分５０Ａ及び５０Ｂは、中心線５２に沿って互いに間隔を置いて、それらの間の区域にくびれ６０を形成し、このくびれ６０は詰め替え容器２０のほぼ中央である。詰め替え容器２０は、肩部分５０Ａに近接する分与端６２、及び肩部分５０Ｂに近接する、反対側の取り付け端６４を包含する。タブ７０が、分与端６２における詰め替え容器２０の縁部４０から延出している。このタブ７０は、詰め替え容器２０内に収容されている液体材料と流体連通されている分与口７４を包含する。図２Ｃに示されているように、詰め替え容器２０の取り付け端６４は空洞７６を包含し、この空洞７６は縁部４０から延在している、実質的に平面の取り付け部分７８を有する。詰め替え容器２０の前面部分３０は、また、ドーム状ポンプ８０等のポンプ手段を包含する。このドーム状ポンプ８０は、ユーザの手又は指によって圧縮されると、必要な圧力を生成して液体材料を分与口７４から出し、これにより、ユーザに対して液体材料を分与する。このように、詰め替え容器２０の形状及び構成はモジュール式であり、これにより、後で詳細に述べる種々の順守モジュール１２Ａ〜１２Ｆに適合可能となる。一態様において、詰め替え容器２０は例えばポーチから成ることができる。
【００１８】
携帯型順守ディスペンサ１０の一実施形態において、順守モジュール１２Ａが図３Ａ〜図３Ｃ及び図４に示されている。より詳細には、順守モジュール１２Ａは図４に明確に示されているキャリングケース８２を包含する。このキャリングケース８２は、リビングヒンジ等のヒンジ８５によって蓋８４に枢動可能に取り付けられているベース８３を包含する。このベース８３は、通信モジュール８６を収容して保持するように構成されている。通信モジュール８６は磁気スイッチ８８を包含し、この磁気スイッチ８８はベース８３の外周部に形成されているノッチ９０内に受け入れられるような大きさとされている。したがって、モジュール８６がベース８３内に配置されると、蓋８４が閉じられて、スナップ、ラッチ又は同様の手段等の任意適当な手段を使用してベース８３に保持される。ケース８２は、また、ケース８２をユーザに取り外し可能に取り付けるために適当であるキャリングクリップ９２を包含する。磁気スイッチ８８は、詰め替え容器２０に取り外し不能に取り付けられた（又は取り外し可能に取り付けられた）取り付けクリップ１１２によって担持されている又は別の方法で取り付けクリップ１１２に取り付けられている容器の磁石１１０の近接性を検知するように構成されている。取り付けクリップ１１２は、例えば、圧縮による付着又は接着を含む、任意適当な固定手段を使用して、詰め替え容器２０に結合することができることを理解すべきである。更に、磁気スイッチ８８と容器の磁石１１０とは引っ込み可能なテザー１１４によって連結され、この引っ込み可能なテザー１１４は任意適当なケーブル、コード、線又は同様の手段で構成することができ、又は、代替として、テザー１１４は容器の磁石１１０と磁気スイッチ８８とを一緒に弾性的に付勢するように構成されている弾性のコード又はバンドで構成することもできる。換言すれば、順守モジュール１２Ａの使用時、テザー１１４は、通常、容器の磁石１１０及びそれ故詰め替え容器２０が通信モジュール８６に近接するように付勢するのに役立ち、これにより、磁気スイッチ８８は容器の磁石１１０の存在を検知する。代替として、詰め替え容器２０が使用される時、テザー１１４は、詰め替え容器２０及び容器の磁石１１０が磁気スイッチ８８の磁気的な検知範囲からその外側へ引き出される又は移動されることを許容する。
【００１９】
図５に示されている通信モジュール８６はコントローラ１２０を包含し、このコントローラ１２０は後述する機能を実行するために必要なハードウェア及び／又はソフトウェアを包含する。コントローラ１２０には無線送信機１３０が接続され、この無線送信機１３０は、衛生順守データを含む衛生順守信号等の無線信号を後述する方式で遠隔の監視ステーション１４に対して送信又はその他の方法で通信するように構成されている。一態様において、送信機１３０は、遠隔の監視ステーション１４に対して及びこの遠隔の監視ステーション１４からデータを送受信することのできる送受信機と置き換えられてもよい。上述したように、容器の磁石１１０の存在及び不存在を検知するように構成されている磁気スイッチ８８は、コントローラ１２０に接続されている。更に、コントローラ１２０及び送信機１３０には、例えばバッテリー又は太陽電池等の電源１４０によって電力が供給される。
【００２０】
順守モジュール１２Ａ及び後述する順守モジュール１２Ｂ〜１２Ｇと通信するために使用される遠隔の監視ステーション１４は、順守モジュール１２Ａ〜１２Ｇから送られる無線衛生順守信号及びデータを受信するように構成されている、任意適当なコンピューティングシステムを包含する。一態様において、遠隔の監視ステーション１４は、キーボード、マウス、モニター等の入力装置及び出力装置を包含することができる。これは、監視ステーション１４のユーザが、受信した衛生順守データを分析及び処理して、順守モジュール１２Ａ〜１２Ｇを着用している個人が所定の衛生基準及び手順書を順守しているかどうかを判定することを可能にする。
【００２１】
したがって、順守モジュール１２Ａの動作中、容器の磁石１１０がこの容器の磁石１１０の検知範囲内にあるように、テザー１１４は通常引っ込んだ状態にある。そして、詰め替え容器２０から材料を分与するために、テザー１１４を伸張することによって、容器の磁石１１０が磁気スイッチ８８の検知範囲から移動された時に、順守モジュール１２Ａは、無線衛生順守信号又は順守データを遠隔の監視ステーション１４に対して送信機１３０を介して送信して、詰め替え容器２０が使用されていること及び衛生の順守及び分与事象が起こったことを示す。すなわち、遠隔の監視ステーション１４は、衛生順守信号又は順守データの送信を識別し、それを衛生順守事象の完了として記録して、詰め替え容器２０内の液体材料がディスペンサ１０のユーザによってドーム状ポンプ８０が押圧されたことにより分与口７４から分与されたことを示す。分与事象が完了した後に、テザー１１４が引っ込められ、これにより容器の磁石１１０が磁気スイッチ８８によって検知されると、順守信号又はデータを送信しないように送信機１３０は動作を停止される。
【００２２】
各順守モジュール１２Ａは、遠隔の監視ステーション１４に対して送信された衛生順守信号及び送られたデータに関連付けられた、一意の識別コードが割り当てられてもよいことを理解すべきである。これは、監視ステーション１４の管理者が、順守モジュール１２Ａを着用している１人以上のユーザを識別し、かつ個々に監視して、ユーザが所定の衛生基準及び手順書を順守しているかどうかを、収集された衛生順守データに基づいて判定することを可能にする。
【００２３】
携帯型順守ディスペンサ１０の別の実施形態において、詰め替え容器２０と共に使用するための順守モジュール１２Ｂが、図６Ａ〜図６Ｂに示されている。この順守モジュール１２Ｂはスリーブ２００を包含し、このスリーブ２００は布、及びラテックス、ネオプレン又は同様の材料を含む伸縮可能な材料等の任意適当な材料から形成することができる。スリーブ２００は、その中に詰め替え容器２０を受け入れるための空洞を形成する前後の正面部分２１０及び背面部分２２０を包含する。したがって、スリーブ２００が取り付けられると、スリーブ２００の正面部分２１０は詰め替え容器２０の正面部分２０に近接して配置されるように構成され、これにより、詰め替え容器２０のドーム状ポンプ８０がスリーブ２００の正面部分２１０によって提供されている受け入れ開口２２２を通して受け入れられる。
【００２４】
通信モジュール２４０はスリーブ２００の背面部分２２０内に埋め込まれ、これにより、スリーブ２００が詰め替え容器２０を覆って取り付けられると、詰め替え容器２０の背面部分３２に通信モジュール２４０が近接する。図７に詳細に示されている通信モジュール２４０は、後述する機能を実行するために必要とされる、必要なハードウェア及び／又はソフトウェアを有するコントローラ２４２を包含する。このコントローラ２４２には、遠隔の監視ステーション１４に対して衛生順守信号及びデータを送信するように構成されている無線送信機２４４が接続されている。一態様において、送信機２４４は、遠隔の監視ステーション１４に対して及びこの遠隔の監視ステーション１４からデータを送受信することのできる送受信機であってもよい。通信モジュール２４０には、例えばバッテリー又は太陽電池等の電源２４５によって電力が供給される。制御アクチュエータ２４６が、コントローラ２４２に接続され、スリーブ２００の背面部分２２０を通して形成されているアクチュエータ用開口２４８を通して延出するように構成されている。しかしながら、制御アクチュエータ２４６は見えないようにスリーブ２００の背面部分２２０の内側に維持することも考えられる。制御アクチュエータ２４６は、手動で作動されるボタン若しくはスイッチを備えてもよく、又は、任意のタッチセンサ又は感圧センサを備えてもよいことを理解すべきである。一態様において、制御アクチュエータ２４６は、例えば、指紋を検知するように構成されている生体認証センサを備えることができる。通信モジュール２４０は、制御アクチュエータ２４６が作動されると、無線衛生順守信号及びデータを送信するように構成されている。更に、通信モジュール２４０には、送信された衛生順守信号及びデータに関連付けられた、一意の識別コードが割り当てられる。これは、順守ステーション１４の管理者が、順守モジュール１２Ｂを着用している１人以上のユーザを識別し、かつ個々に監視して、ユーザが所定の衛生基準及び手順書を順守しているかどうかを、収集された衛生順守データに基づいて判定することを可能にする。
【００２５】
スリーブ２００の外周部のまわりには、頂部開口２６０及び２つの横方向に方向づけられている両側の肩部開口２７０Ａ及び２７０Ｂが形成されている。これらの開口は、それぞれ、詰め替え容器２０から延出するタブ７０及び両側肩部分５０Ａを受け入れるような大きさにされている。したがって、詰め替え容器２０が少なくとも部分的にスリーブ２００内に受け入れられると、タブ７０は頂部開口２６０を通して延出することができ、また両側肩部分５０Ａは両側肩部開口２７０Ａ及び２７０Ｂを通して延出するような大きさにされている。その結果、制御アクチュエータ２４６は、スリーブ２００の背面部分２２０におけるアクチュエータ用開口２４８を通して取り付けられ、スリーブ２００の前面部分２１０における受け入れ開口２２２を通して取り付けられているドーム状ポンプ８０と実質的に整列させられる。
【００２６】
ユーザ又は個人に順守モジュール１２Ｂを取り付けるために、頂部開口２６０と肩部開口２７０Ｂとの間の位置において、スリーブ２００から延出する取り付けループ２８０が設けられているが、この取り付けループ２８０はスリーブ２００の任意の望ましい位置に設けられてもよい。
【００２７】
したがって、通信モジュール１２Ｂの動作中、ユーザは、制御アクチュエータ２４６がユーザの指に係合した状態で、ドーム状ポンプ８０を握る又は他の方法で押圧する。そして、ドーム状ポンプ８０の圧力によって液体材料が詰め替え容器２０から分与されるのと同時に、ユーザの指と制御アクチュエータ２４６との係合によって、無線衛生順守信号及び関連する衛生順守データが送信機２４４から遠隔の順守監視ステーション１４に送信される。監視ステーション１４は、受信した順守信号を、特定の順守モジュール１２Ｂに割り当てられている特定の識別コードに関連付けられた、完了した衛生事象として記録する。順守モジュール１２Ｂ及びこの順守モジュール１２Ｂと共に使用される通信モジュール２４０の動作の方式は、後述する順守モジュール１２Ｃ〜１２Ｆのそれらと同じであることを理解すべきである。
【００２８】
携帯型順守ディスペンサ１０の更なる別の実施形態において、詰め替え容器２０と共に使用するための順守モジュール１２Ｃが図８Ａ〜図８Ｃに示されている。より詳細には、この制御モジュール１２Ｃは本体３００を包含し、この本体３００はこの本体から実質的に直角に延在する、両側の保持アーム３１０Ａ及び３１０Ｂを有する。これらの保持アーム３１０Ａ及び３１０Ｂは、布、及びラテックス、ネオプレン又は同様の材料を含む伸縮可能な材料等の任意適当な材料から形成することができる。一態様において、本体３００は、両側のそれぞれの保持アーム３１０Ａ及び３１０Ｂが実質的に直角に本体３００から延在する位置３２２で終っている、実質的に湾曲した上部縁部３２０を有してもよい。本体３００は前後の内側表面３３０及び外側表面３３２を有し、コンパートメント３３４が外側表面３３２上に取り付けられている。このコンパートメント３３４内には通信モジュール２４０が取り出し可能に受け入れられ、上述したように、通信モジュール２４０は制御アクチュエータ２４６を包含する。通信モジュール２４０は、容易に取り出して、別の順守モジュール１２Ｃ内に再配置することができるように、所望により、耐衝撃性のあるハウジング等のハウジング内に担持されてもよいこともまた理解すべきである。
【００２９】
保持アーム３１０Ａ及び３１０Ｂはそれぞれ取り付け部分３４０Ａ及び３４０Ｂを包含し、取り付け部分３４０Ａは保持アーム３１０Ａの外側表面３３２上に設けられ、また取り付け部分３４０Ｂは保持アーム３１０Ｂの内側表面３４０上に設けられている。取り付け部分３４０Ａ及び３４０Ｂは、ＶＥＬＣＲＯ（登録商標）等のフック及びループ材料、或いはスナップボタン、クリップ、紐若しくは同様の材料等の任意適当な材料で形成することができることを理解すべきである。したがって、本体３００の保持アーム３１０Ａ及び３１０Ｂは、制御アクチュエータ２４６がドーム状ポンプ８０と実質的に整列されるように、詰め替え容器２０の本体２６のくびれ６０のまわりに巻き付けられ、取り付け部分３４０Ａ及び３４０Ｂを合わせて結合することによって保持される。
【００３０】
ユーザへの順守モジュール１２Ｃの取り付けを容易にするために、取り付けリング３５０が本体３００の背面表面３３２に取り付けられ、順守モジュール１２Ｃがユーザのベルト通し又は他の物品に取り外し可能に取り付けられることを可能にする。
【００３１】
したがって、順守モジュール１２Ｃの動作中、制御アクチュエータ２４６はユーザの指と係合されると共に、ユーザの指によってドーム状ポンプ８０が押圧され、その結果、順守モジュール１２Ｂについて説明したように、液体材料が詰め替え容器２０から分与されて、衛生順守信号、順守データ及び識別コードが遠隔の通信モジュール２４０から遠隔の監視ステーション１４に送信される。
【００３２】
携帯型順守ディスペンサ１０の更なる別の実施形態において、詰め替え容器２０と共に使用するための携帯型順守モジュール１２Ｄが図９Ａ〜図９Ｃに示されている。この携帯型順守モジュール１２Ｄは本体４００を包含し、この本体４００は一対の連結アーチ４３０によって保持リング４２０に連結されている保持アーム４１０を包含する。一態様において、本体４００は、例えばプラスチック、鋼又はアルミニウム等の任意適当な材料から形成することができる。順守モジュール１２Ｄは、保持アーム４１０が詰め替え容器２０の背面部分３２に近接し、また保持リング４２０が詰め替え容器２０の前面部分３０に近接する形で、詰め替え容器２０に取り付けられる。より詳細には、順守モジュール１２Ｄは、保持アーム４１０によって提供されている、湾曲した把持部分４４０が詰め替え容器２０の背面部分３２を圧搾把持し、これと同時に、保持リング４２０によって提供されている保持開口４５０がこの保持開口を通してドーム状ポンプ８０を受け入れることによって、詰め替え容器２０に取り付けられる。順守モジュール１２Ｄが詰め替え容器２０に取り付けられた時に、同じ場所に留まることを確実にするために、連結アーチ４３０は保持アーム４１０と保持リング４２０との両方に圧縮力を分け与える。
【００３３】
保持アーム４１０内には、順守モジュール１２Ｂについて上述した通信モジュール２４０が埋め込まれる。したがって、制御アクチュエータ２４６は、順守モジュール１２Ｄが詰め替え容器２０に取り付けられると、ドーム状ポンプ８０と実質的に整列されるように位置付けられる。
【００３４】
したがって、順守モジュール１２Ｄの動作中、ドーム状ポンプ８０及び制御アクチュエータ２４６は、ユーザの手又は指によって係合されて、詰め替え容器２０から材料を分与する。同時に、通信モジュール２４０は、衛生順守信号、順守データ及び関連付けられた一意の識別コードを遠隔の監視ステーション１４に対して無線で送信し、遠隔の監視ステーション１４は受信した順守信号を一意の順守モジュール識別コードに関連する、完了した衛生事象として記録する。
【００３５】
携帯型順守ディスペンサ１０の更なる別の実施形態において、詰め替え容器２０と共に使用するための携帯型順守モジュール１２Ｅが図１０Ａ〜図１０Ｃに示されている。この順守モジュール１２Ｅは実質的に細長い本体５００を包含し、この本体５００はその一方の端にフック５１０を有し、またその他方の端に取り付けクランプ５２０を有する。本体５００は前後の正面表面５２２及び背面表面５２４を有し、これらの正面表面５２２及び背面表面５２４はプラスチック、アルミニウム又は同様の材料等の任意適当な材料から形成することができる。フック５１０は、例えばユーザのベルト通し等の任意適当な構造物に取り付けることができるような大きさとされている。フック５１０の端部は湾曲端５３０から成り、この湾曲端５３０からロックタブ５３２が延出している。フック５１０の湾曲端５３０は、本体５００に設けられている、対応する形状のくぼみ５４０内に受け入れられて保持されるような大きさとされている。湾曲端５３０が何らかの事情で本体５００から外れることを防ぐために、くぼみ５４０は、ロックタブ５３２を受け入れるような大きさとされているロック開口５４２を包含する。したがって、フック５１０の湾曲端５３０がくぼみ５４０内に挿入されると、閉じた輪が形成され、これにより順守モジュール１２Ｅを着用しているユーザに順守モジュールを取り付ける。
【００３６】
取り付けクランプ５２０はロックアーム５５０を包含し、このロックアーム５５０が作動されると、図１０Ｃに示されているように、空洞７６内に配置されている詰め替え容器２０の取り付け部分７８を圧搾係合するように構成されている、一対の実質的に平行でかつ対向しているジョー５６０を開閉する。したがって、取り付けクランプ５２０は、必要に応じて通信モジュール１２Ｅが詰め替え容器２０から容易に取り外され、又は、詰め替え容器２０に取り付けられることを可能にする。
【００３７】
本体５００の背面表面５２４からは、図１０Ｃに示されている延長部分５７０が延在している。この延長部分５７０は、プラスチック又は金属等の任意適当な材料で形成することができて、詰め替え容器２０の背面部分３２の曲線に沿う。そして、この延長部分５７０は、本体５００内に配置されている通信モジュール２４０に接続されている制御アクチュエータ２４６を担持する。より詳細には、制御アクチュエータ２４６は、取り付けられている詰め替え容器２０のドーム状ポンプ８０と実質的に整列される位置に載置される。したがって、制御アクチュエータ２４６とドーム状ポンプ８０とがユーザの手又は指に係合され、詰め替え容器２０は液体材料を分与し、上述したように、順守モジュール１２Ｅは衛生順守信号及びデータを、順守モジュール識別コードと共に、監視ステーション１４に対して同時に送信する。
【００３８】
携帯型順守ディスペンサ１０の更なる別の実施形態において、詰め替え容器２０と共に使用するための順守モジュール１２Ｆが図１１Ａ〜図１１Ｃに示されている。より詳細には、この通信モジュール１２Ｆは本体６００を包含し、この本体６００の一方の端からカラビナクリップ等のアタッチメントクリップ６１０が延在し、またこの本体６００の他方の端から一対のピボットアーム６２０が延在している。アタッチメントクリップ６１０はばねで付勢されている閉じアーム６２１を包含し、これにより、順守モジュール１２Ｆがユーザによって提供されるあらゆる所望の物品又は構造物に取り外し可能に取り付けられることを可能にする。一対のピボットアーム６２０には、枢動位置６２４においてマウンティングクリップ６３０が枢動可能に取り付けられている。このマウンティングクリップ６３０は、取り付け位置６６０において互いから傾斜して延在する、ロックアーム６４０及び制御アーム６５０を包含する。すなわち、マウンティングクリップ６３０を構成するロックアーム６４０及び制御アーム６５０は取り付け位置６６０において互いに堅固に取り付けられ、同時にマウンティングクリップ６３０は旋回位置６２４において本体６００から延在している一対のピボットアーム６２０に枢動可能に取り付けられている。更に、ロックアーム６４０は保持具６７０を包含し、この保持具６７０は詰め替え容器２０によって提供されているドーム状ポンプ８０を保持具６７０を通して受け入れるような大きさとされている保持開口６８０を包含する。
【００３９】
順守モジュール１２Ｆは、ロックアーム６４０及び制御アーム６５０が詰め替え容器２０の分与端６２を摺動して覆うように構成されるように、詰め替え容器２０に取り付けられる。順守モジュール１２Ｆを詰め替え容器２０に取り付ける時、ロックアーム６４０の保持具６７０はドーム状ポンプ８０を摺動して覆い、これにより、ドーム状ポンプ８０が保持開口６８０内に受け入れられ、同時に制御アーム６５０が詰め替え容器２０の背面部分３２に対して圧縮力を加える。詰め替え容器２０のドーム状ポンプ８０は、制御アーム６５０の圧縮作用なしに順守モジュール１２Ｆを詰め替え容器２０に取り付けるために、保持具６７０の保持開口６８０内にスナップ式に嵌め込まれてもよいことを理解すべきである。ドーム状ポンプ８０が保持具６７０内に受け入れられると、ロックアーム６４０と制御アーム６５０との間に生成されている圧縮力が詰め替え容器２０に分け与えられるため、順守モジュール１２Ｆが詰め替え容器２０に保持される。
【００４０】
順守モジュール１２Ｆの制御アーム６５０内には、上述したように、通信モジュール２４０が配置されている。この通信モジュール２４０は、順守モジュール１２Ｆが詰め替え容器２０に取り付けられると、制御アクチュエータ２４６がドーム状ポンプ８０と実質的に整列されるように構成されている。これは、詰め替え容器２０から液体材料を分与するためにドーム状ポンプ８０がユーザの指によって押圧された時に、完了した衛生事象を示すために制御アクチュエータ２４６がユーザの指に係合されることを確実にする。代替として、順守モジュール１２Ｆは、制御アーム６５０の枢動する動きが制御アクチュエータ２４６を移動させ、これにより、順守モジュール１２Ｆの本体６００により制御アクチュエータ２４６に圧力が加えられて、完了した衛生事象を示すように構成することもできる。
【００４１】
したがって、順守モジュール１２Ｆの動作中、制御アクチュエータ２４６及びドーム状ポンプ８０がユーザの指によって押圧されて、液体材料が詰め替え容器２０から分与されると、上述したように、無線衛生順守信号及びデータが一意の順守モジュール識別コードと共に遠隔の監視ステーション１４に無線で送信される。
【００４２】
携帯型順守ディスペンサ１０の更なる別の実施形態において、詰め替え容器２０と共に使用するための携帯型順守モジュール１２Ｇが図１２〜図１５に示されている。より詳細には、この順守モジュール１２Ｇは、図１２に示されているように、分与容器７００と共に使用するように構成され、分与容器７００は首部７０２を包含し、この首部７０２には環状カラー７１０が螺合可能に取り付けられている。環状カラー７１０は、首部７０２ではなくて、例えば、取り付け開口等の他の取り付け位置に取り付けることもできる。分与容器７００は、カラー７１０を通して延在するポンプ７１２を包含する。このポンプ７１２は、作動されると、例えば石鹸又は消毒剤等の任意適当な液体材料をポンプ７１２から分与する。カラー７１０は、分与容器７００の首部７０２を囲む環状カラー縁７１４を提供する。
【００４３】
順守モジュール１２Ｇは支持部材７４０を担持するハウジング７２０を包含し、支持部材７４０にはテザー引っ込み装置７６０とバッテリー等の電源７８０とが取り付けられている。ハウジングは７２０、また、順守モジュール１２Ｇが着用されることを可能にするために、個人のベルト又は他の物品に取り付けられるように構成されているキャリングクリップ７８２も包含する。テザー引っ込み装置７６０は、テザー８００を引っ込めるように構成されている。テザー８００は、その一方の端でテザー引っ込み装置７６０に連結され、またその他方の端が保持具８１０に連結されている。テザー８００は、テザー１１４について上述したように、任意適当な材料で形成することができ、保持具８１０は、カラー縁７１４の下に保持されるようにカラー７１０のまわりに伸び、したがって順守モジュール１２Ｇを分与容器７００に取り付けることが可能となるように実質的に環状の形状を有するような大きさとされている。すなわち、保持具８１０は例えばゴム等の任意適当な伸縮可能な材料から作られ、この伸縮可能な材料は保持具８１０がカラー７１０のまわりに伸びることができるようにし、これにより保持具８１０が分与容器７００の首部７０２のまわりを圧縮又は締め付け、これにより保持具８１０がカラー７１０のカラー縁７１４に係合することを可能にする。別の態様において、保持具８１０は、分与容器７００に設けられている取り付け開口（図示せず）に取り付けられるように構成されているクリップ又はフックを備えてもよい。テザー８００は、ばねで付勢されている引っ込み可能なケーブル、又は磁石８３０と磁気スイッチ８４０とを一緒に付勢する弾性のコードで構成されることを理解すべきである。保持具８１０は、また、この保持具８１０に取り付けられている容器の磁石８３０包含し、この容器の磁石８３０の存在はテザー引っ込み装置７６０によって担持されている磁気スイッチ８４０によって検知される。更に、テザー引っ込み装置７６０は、磁気スイッチ８４０、電源７８０及び送信機８７０に接続されているコントローラ８５０を包含する。
【００４４】
したがって、順守モジュール１２Ｇの動作中、分与容器７００は、図１５Ａに示されているように、テザー８００によって完全に引っ込まされ、これにより、容器の磁石８３０の存在が磁気スイッチ８４０によって磁気的に検知される。しかしながら、ユーザが分与容器７００から材料を分与することを望む時には、図１５Ｂに示されているように、容器の磁石８３０が磁気スイッチ８４０から離れるように移動される。磁気スイッチ８４０がその検知範囲から容器の磁石８３０が取り除かれたことを検知すると、送信機８７０は遠隔の監視ステーション１４に対して無線衛生順守信号又は順守データを送信して、材料が分与容器７００から分与されており、衛生順守事象が起こったことを示す。更に、磁気スイッチ８４０が容器の磁石８３０の存在又は近接性を検知すると、コントローラ８５０は分与容器７００がこの分与容器から材料を分与するために使用されていないことを認識し、送信機８７０による順守信号又はデータの送信は終了される。
【００４５】
以上述べたことから、本発明の１つ以上の実施形態の１つの利点は、石鹸、消毒剤又は保湿剤等の任意に液体材料を収容する詰め替え容器に、携帯型順守ディスペンサを取り外し可能に取り付けることができることにあることを理解されるであろう。本発明の別の利点は、携帯型順守ディスペンサが作動される度に、詰め替え容器の使用を監視するために衛生順守データを無線で送信するように携帯型順守ディスペンサが構成されていることにある。本発明の更なる別の利点は、携帯型順守ディスペンサがユーザによって容易に着用される又は持ち運ばれることが可能であることにある。
【００４６】
本発明について幾つかの実施形態を参照してかなり詳細に記載したけれども、他の実施形態も可能である。したがって、添付の特許請求の範囲に記載した発明の精神及び範囲は本明細書に含まれている実施形態に限定されるべきではない。
【図１】
2014519357.tif 000003
【図２Ａ】
2014519357.tif 000004
【図２Ｂ】
2014519357.tif 000005
【図２Ｃ】
2014519357.tif 000006
【図３Ａ】
2014519357.tif 000007
【図３Ｂ】
2014519357.tif 000008
【図３Ｃ】
2014519357.tif 000009
【図４】
2014519357.tif 000010
【図５】
2014519357.tif 000011
【図６Ａ】
2014519357.tif 000012
【図６Ｂ】
2014519357.tif 000013
【図７】
2014519357.tif 000014
【図８Ａ】
2014519357.tif 000015
【図８Ｂ】
2014519357.tif 000016
【図８Ｃ】
2014519357.tif 000017
【図９Ａ】
2014519357.tif 000018
【図９Ｂ】
2014519357.tif 000019
【図９Ｃ】
2014519357.tif 000020
【図１０Ａ】
2014519357.tif 000021
【図１０Ｂ】
2014519357.tif 000022
【図１０Ｃ】
2014519357.tif 000023
【図１１Ａ】
2014519357.tif 000024
【図１１Ｂ】
2014519357.tif 000025
【図１１Ｃ】
2014519357.tif 000026
【図１２】
2014519357.tif 000027
【図１３】
2014519357.tif 000028
【図１４】
2014519357.tif 000029
【図１５Ａ】
2014519357.tif 000030
【図１５Ｂ】
2014519357.tif 000031
【国際調査報告】
2014519357.tif 000032
2014519357.tif 000033
2014519357.tif 000034
2014519357.tif 000035
2014519357.tif 000036